(57)【特許請求の範囲】
【請求項１】
撮影光学系と、
複数の受光素子が２次元配列された撮像素子であって、第１の受光素子と、前記第１の受光素子以外の第２の受光素子とを含む撮像素子と、
前記撮影光学系に含まれる所定の光学部材に形成された所定の幅を有する第１の遮光部材であって、前記撮影光学系の全瞳領域を第１の領域と第２の領域とに分割する第１の遮光部材と、
前記撮像素子の近傍に設けられ、前記第１の領域を通過した光束のみを前記第１の受光素子に入射させ、前記第２の領域を通過した光束のみを前記第２の受光素子に入射させる第２の遮光部材と、
前記第１の受光素子の撮像信号から第１の画像を生成し、前記第２の受光素子の撮像信号から第２の画像を生成する画像生成手段と、
を備える撮像装置。
【請求項２】
前記第１の遮光部材は、前記所定の光学部材の表面に形成された遮光帯である、請求項１に記載の撮像装置。
【請求項３】
前記画像生成手段は、前記第１の画像に対して前記第２の受光素子が存在することによる欠落画素を埋める補間処理、及び前記第２の画像に対して前記第１の受光素子が存在することによる欠落画素を埋める補間処理の少なくとも１つを行う、請求項１又は２に記載の撮像装置。
【請求項４】
前記第２の遮光部材は、前記撮影光学系と前記撮像素子との間に配設される、請求項１から３のいずれかに記載の撮像装置。
【請求項５】
前記第２の遮光部材は、前記受光素子の受光面に隣接して配設される、請求項１から３のいずれかに記載の撮像装置。
【請求項６】
前記撮影光学系は、前記第１の領域として第１の焦点距離を有し、前記第２の領域として前記第１の焦点距離よりも長い焦点距離を有する多焦点レンズである、請求項１から５のいずれかに記載の撮像装置。
【請求項７】
前記第１の遮光部材は、前記所定の光学部材の中心に配置された平面形状が円形の領域と、前記円形の領域の外縁に配置された環状の領域とに分割する、請求項２に記載の撮像装置。
【請求項８】
前記撮影光学系は、板状部材を含み、
前記第１の遮光部材は、前記板状部材に設けられる、請求項１に記載の撮像装置。
【発明の詳細な説明】
【技術分野】
【０００１】
本発明は撮像装置に係り、特に多様な画像を同時に取得可能な撮像装置に関する。
【背景技術】
【０００２】
特許文献１には、瞳分割により視差を持った２つの画像を取得して焦点調節状態の検出を行うことが記載されている。具体的には、特許文献１においては、絞りを構成する絞り羽根のうち２枚の絞り羽根を上下方向から撮影光路内に突出させて略同一形状の左右方向に分割された光通過口を形成する。そして、各光通過口を通過した光束がそれぞれ結像される撮像素子において同タイミングで得られた２枚の画像に基づいて像はずれ量及び像はずれ方向を検出して、撮影レンズの焦点調節状態を判別する。【０００３】
特許文献２には、瞳分割により視差を持った２つの画像を取得することが記載されている。具体的には、特許文献２においては、複数の開口部が形成された絞りが設けられ、撮像素子の受光領域を制限する遮光部により、異なる撮像素子で異なる開口部を通過した光を受光して複数の視差画像を生成する。
【先行技術文献】
【特許文献】
【０００４】
【特許文献１】特開２００２−３５０７１８号公報
【特許文献２】特開２００９−１６５１１５号公報
【発明の概要】
【発明が解決しようとする課題】
【０００５】
しかしながら、特許文献１では、撮像素子の製造誤差等の様々な理由により瞳領域を分離する性能が劣化し、信号混合（いわゆるクロストーク）が発生しやすいという問題がある。【０００６】
図１０を用いてクロストークが発生しやすくなる原因について説明する。図１０においては、画素１０２ａに設けられた遮光部１０３ａにより撮影レンズ１００の周縁領域１００ｂを通過した光束が遮光され、撮影レンズの中央領域１００ａを通過した光束が画素１０２ａに入射される。また、画素１０２ｂに設けられた遮光部１０３ｂにより中央領域１００ａを通過した光束が遮光され、周縁領域１００ｂを通過した光束が画素１０２ｂに入射される。【０００７】
遮光部１０３ａは周縁領域１００ｂを通過した光束が全て遮光可能な大きさで形成され、かつ周縁領域１００ｂを通過した光束が全て遮光可能な位置に形成される。また、遮光部１０３ｂは中央領域１００ａを通過した光束が全て遮光可能な大きさで形成され、かつ中央領域１００ａを通過した光束が全て遮光可能な位置に形成される。しかしながら、中央領域１００ａと周縁領域１００ｂとは隣接しているため、遮光部１０３ａ、１０３ｂの大きさや位置が少しでもずれると、本来遮光すべきでない光束を遮光することとなり、本来遮光すべき光束が遮光されない。撮像素子の大きさが微細であるため、遮光部１０３ａ、１０３ｂの大きさや位置等の製造誤差を生じやすく、遮光部の形状および位置の精度を上げるのは困難である。【０００８】
このように、本来遮光すべき光束が遮光されないと、撮像素子１０２ａ、１０２ｂに入射した本来遮光すべき光束の成分がノイズとなり、いわゆるクロストークが発生してしまう。【０００９】
それに対し、特許文献２では、開口部と開口部との距離が保たれているため、クロストークは発生しにくい。しかしながら、特許文献２では、絞りに開口部を複数形成することにより各開口部の大きさが小さくなり、受光光量が少なくなるため、画像が劣化するという問題がある。【００１０】
本発明はこのような事情に鑑みてなされたもので、信号混合が生じにくく、高品質の画像が撮影できる撮像装置を提供することを目的とする。
【課題を解決するための手段】
【００１１】
前記目的を達成するために、本発明の一態様に係る撮像装置は、撮影光学系と、複数の受光素子が２次元配列された撮像素子であって、第１の受光素子と、第１の受光素子以外の第２の受光素子とを含む撮像素子と、撮影光学系に含まれる所定の光学部材に形成された所定の幅を有する第１の遮光部材であって、撮影光学系の全瞳領域を第１の領域と第２の領域とに分割する第１の遮光部材と、撮像素子の近傍に設けられ、第１の領域を通過した光束のみを第１の受光素子に入射させ、第２の領域を通過した光束のみを第２の受光素子に入射させる第２の遮光部材と、第１の受光素子の撮像信号から第１の画像を生成し、第２の受光素子の撮像信号から第２の画像を生成する画像生成手段とを備える。【００１２】
本発明の一態様に係る撮像装置によれば、撮影光学系の所定の光学部材に形成された所定の幅を有する第１の遮光部材が撮影光学系の全瞳領域を第１の領域と第２の領域とに分割する。第２の遮光部材により第１の領域を通過した光束のみが撮像素子のうちの一部の受光素子である第１の受光素子に入射される。第２の領域を通過した光束のみが第１の受光素子以外の素子である第２の受光素子に入射される。これにより、第１の領域を通過した光束と第２の領域を通過した光束が第１または第２の受光素子上で混合して受光され、第１または第２の受光素子上で信号の混合（クロストーク）が発生するのを抑制することができる。したがって、上記クロストークにより発生する画像のボケやコントラスト劣化を補正する画像処理が不要となる。また、遮光物の大きさや位置の精度及び遮光部材の光軸方向の配設位置の精度の要件が緩和されるので、製造コストを下げることができる。【００１３】
本発明の他の態様に係る撮像装置において、第１の遮光部材は、撮影光学系を構成する所定の光学部材の表面に形成された遮光帯としてもよい。これにより、部品数を減らすことができる。【００１４】
本発明の他の態様に係る撮像装置において、画像生成手段は、第１の画像に対して第２の受光素子が存在することによる欠落画素を埋める補間処理、及び第２の画像に対して第１の受光素子が存在することによる欠落画素を埋める補間処理の少なくとも１つを行うようにしてもよい。これにより、画質を向上させることができる。【００１５】
本発明の他の態様に係る撮像装置において、第２の遮光部材は、撮影光学系と撮像素子との間に配設されるようにしてもよい。これにより、第２の遮光部材の交換等が容易となる。【００１６】
本発明の他の態様に係る撮像装置において、第２の遮光部材は、受光素子の受光面に隣接して配設されるようにしてもよい。これにより、部品数を減らすことができる。【００１７】
本発明の他の態様に係る撮像装置において、撮影光学系は、第１の領域として第１の焦点距離を有し、第２の領域として第１の焦点距離よりも長い焦点距離を有する多焦点レンズであってもよい。これにより、焦点距離の異なる複数の画像を同時に撮影することができる。【００１８】
本発明の他の態様に係る撮像装置において、第１の遮光部材は、光学部材の中心に配置された平面形状が円形の領域と、円形の領域の外縁に配置された環状の領域とに分割するようにしてもよい。第１の遮光部材をレンズの表面に形成することで、このような瞳領域の分割をすることができる。【００１９】
本発明の他の態様に係る撮像装置において、撮影光学系は、板状部材を含み、第１の遮光部材は、板状部材に設けられるようにしてもよい。これにより、第１の遮光部材を容易に変更できる。
【発明の効果】
【００２０】
本発明によれば、撮影光学系の瞳領域を複数の分割領域に分割して、異なる分割領域を通過した光束を異なる受光素子により受光する場合に、複数の領域からの光束が受光素子により混合して受光されにくくなる。これにより、信号混合が生じにくく、高品質の画像が撮影できる。
【図面の簡単な説明】
【００２１】
【図１】本発明の第１の実施の形態に係る撮像装置の内部構成を示すブロック図
【図２】本発明の第１の実施の形態に係る撮像装置の撮影レンズ、遮光部材及び撮像素子を模式的に示す図
【図３】撮影レンズの平面形状を示す平面図
【図４】撮像素子のフォトセンサの配列を示す平面図
【図５】遮光部材と撮像素子とを模式的に示す図
【図６】本発明の第２の実施の形態に係る撮像装置における撮影レンズ、遮光部材及び撮像素子を模式的に示す図
【図７】本発明の第３の実施の形態に係る撮像装置における撮影レンズ、遮光部材及び撮像素子を模式的に示す図
【図８】撮影レンズの瞳領域の分割の第１の変形例を示す図
【図９Ａ】撮影レンズの瞳領域の分割の第２の変形例を示す図
【図９Ｂ】撮影レンズの瞳領域の分割の第３の変形例を示す図
【図１０】従来例を模式的に示す図
【発明を実施するための形態】
【００２２】
以下、添付図面に従って本発明に係る撮像装置を実施するための形態について詳細に説明する。
【００２３】
＜第１の実施の形態＞
図１は本発明の第１の実施の形態に係る撮像装置１の内部構成を示すブロック図である。
【００２４】
この撮像装置１は、撮像した画像をメモリカード５４に記録するものである。撮像装置１の全体の動作は、中央処理装置（ＣＰＵ（Central Processing Unit））４０によって統括制御される。
【００２５】
撮像装置１には、シャッタボタン、モードダイヤル、再生ボタン、ＭＥＮＵ／ＯＫキー、十字キーおよびＢＡＣＫキーを含む操作部３８が設けられている。この操作部３８からの信号はＣＰＵ４０に入力され、ＣＰＵ４０は入力信号に基づいて撮像装置１の各回路を制御する。これにより、例えば、レンズ駆動制御、絞り駆動制御、撮影動作制御、画像処理制御、画像データの記録／再生制御、立体表示用の液晶モニタ（ＬＣＤ）３０の表示制御などが行われる。
【００２６】
シャッタボタンは、撮影開始の指示を入力する操作ボタンであり、半押し時にＯＮするＳ１スイッチと、全押し時にＯＮするＳ２スイッチとを有する２段ストローク式のスイッチである。モードダイヤルは、静止画を撮影するオート撮影モード、マニュアル撮影モード、人物、風景、夜景等のシーンポジション、及び動画を撮影する動画モードのいずれかを選択する選択手段である。
【００２７】
再生ボタンは、撮像装置１の動作モードを、撮影記録した静止画又は動画を液晶モニタ３０に表示させる再生モードに切り替えるためのボタンである。ＭＥＮＵ／ＯＫキーは、液晶モニタ３０の画面上にメニューを表示させる指令を行うためのメニューボタンとしての機能と、選択内容の確定及び実行などを指令するＯＫボタンとしての機能とを兼備した操作キーである。十字キーは、上下左右の４方向の指示を入力する操作部であり、メニュー画面から項目を選択したり、各メニューから各種設定項目の選択を指示したりする操作部（カーソル移動操作手段）である。また、十字キーの上／下キーは撮影時のズームスイッチあるいは再生モード時の再生ズームスイッチとして機能する。左／右キーは再生モード時のコマ送り（順方向／逆方向送り）ボタンとして機能する。ＢＡＣＫキーは、選択項目など所望の対象の消去や指示内容の取消し、あるいは１つ前の操作状態に戻らせるときなどに使用される。
【００２８】
撮影モード時において、被写体光は、撮影光学系（撮影レンズ）１０、絞り（図示せず）及び遮光部材１２を介してＣＭＯＳ（Complementary Metal Oxide Semiconductor）型の撮像素子１６の受光面に結像される。
【００２９】
撮影レンズ１０は、ＣＰＵ４０によって制御されるレンズ駆動部３６によって駆動される。これにより、フォーカス制御、ズーム制御等が行われる。
【００３０】
レンズ駆動部３６は、ＣＰＵ４０からの指令に従い、フォーカスレンズを光軸方向に移動させて、焦点調整を行う。また、レンズ駆動部３６は、ＣＰＵ４０からの指令に従い、ズームレンズを光軸方向に進退動作させ、焦点距離を変更させる。
【００３１】
絞りは、例えば、５枚の絞り羽根を含んでいる。ＣＰＵ４０は、例えば、絞り値Ｆ２．８〜Ｆ１１まで１ＡＶ刻みで５段階で絞りの制御を行う。
【００３２】
撮像素子１６の受光面には、多数のフォトセンサ（受光素子）が２次元配列されている（図４参照）。各フォトセンサの受光面に結像された被写体像は、その入射光量に応じた量の信号電圧（または電荷）に変換される。
【００３３】
撮像素子１６の前側、すなわち撮影レンズ１０と撮像素子１６の間には、撮像素子１６の受光面と平行に、すなわち光軸と直交する面と平行に遮光部材１２が配設される。
【００３４】
図２は、本実施の形態における撮影レンズ１０、遮光部材１２及び撮像素子１６の位置関係を示す図である。なお、撮影レンズ１０は、複数枚のレンズにより構成されるが、図２においては模式的に１枚のレンズで示している。また、図２においては、簡単のため、撮像素子１６として２個のフォトセンサが図示され、遮光部材１２も２個のフォトセンサに対応した大きさで図示されているが、実際には、被写体を撮影可能な任意の数や大きさのフォトセンサおよび遮光部材１２が設けられる。
【００３５】
撮影レンズ１０は、短い焦点距離で収束し、マクロ撮影が可能な領域（以下、近焦点領域という）と、近焦点領域より長い焦点距離で収束し、風景等の撮影が可能な領域（以下、遠焦点領域という）を有する２焦点レンズである。撮影レンズ１０は、図３に示すように、正面から見た形状（以下、平面形状という）が円形の領域と、外側の環状の領域とを含んでいる。中央の円形の領域が遠焦点領域１０ａであり、環状の領域が近焦点領域１０ｂである。
【００３６】
図３に示すように、撮影レンズ１０を構成する所定の光学部材（所定のレンズ）の表面に遮光帯１０ｃが形成される。遮光帯１０ｃは、所定の幅を有する黒色のドーナツ状の領域であり、全瞳領域を遠焦点領域１０ａと近焦点領域１０ｂとに分割する。この遮光帯１０ｃは、遠焦点領域１０ａを通過した光と近焦点領域１０ｂを通過した光との混合を防止する。本実施の形態では、遮光帯１０ｃを所定のレンズの表面に形成するため、瞳領域を円形の領域と外側の環状の領域とに分割することができる。
【００３７】
なお、上記所定のレンズは、撮影レンズ１０を構成するレンズ群のうち最も撮像素子１６側のレンズであってもよい。また、上記遮光帯１０ｃは、プリズムや光学フィルタに設けられていてもよい。また、上記所定のレンズは、遮光帯１０ｃを介して、遠焦点領域１０ａのレンズと、近焦点領域１０ｂのレンズの２つが接続された構成としてもよい。また、遮光帯１０ｃは、上記所定のレンズの撮像素子１６側の面に設けられていてもよいし、上記所定のレンズの表面だけでなく、その内部に設けられていてもよい。
【００３８】
撮影レンズ１０の遠焦点領域１０ａ、近焦点領域１０ｂを通過した光束は、マイクロレンズ１５により撮像素子１６の各フォトセンサに結像される。撮像素子１６は、遠焦点領域１０ａを通過した光束が入射する遠画像用受光セル１６ａと、近焦点領域１０ｂを通過した光束が入射する近画像用受光セル１６ｂとを含んでいる。近画像用受光セル１６ｂは、図４に示すように、９画素（３×３）に１画素の割合で配置されている。本実施の形態では、遠画像用受光セル１６ａから得られる画像が主画像であり、近画像用受光セル１６ｂから得られる画像が副画像であるため、遠画像用受光セル１６ａを多く配置している。
【００３９】
遮光部材１２は、撮像素子１６の前面から所定の距離離れた位置に設けられる。遮光部材１２の材料としては、厚さが１０μｍ〜１００μｍ程度の透明なガラス板が用いられる。遮光部材１２の表面には、遮光物１２ａ、１２ｂが形成される。遮光部材１２としては、撮像素子１６のカバーガラスを用いることも可能である。遮光部材１２はガラスに限らず、透明なフィルムを板状の枠に張設したものを用いることもできる。
【００４０】
図５に示すように、遮光部材１２には、遮光物１２ａが遠画像用受光セル１６ａに対応するように、すなわち遠画像用受光セル１６ａの前面に位置するように設けられる。また、遮光部材１２には、遮光物１２ｂが近画像用受光セル１６ｂに対応するように、すなわち近画像用受光セル１６ｂの前面に位置するように設けられる。遮光物１２ａ、１２ｂは、遮光部材１２の表面にエッチング等により形成された黒色の（光を透過しない）領域である。遮光物１２ａは中央に円形の開口を有する直径５μｍ程度のドーナツ状の領域であり、遮光物１２ｂは直径５μｍ程度の円形領域である。この５μｍとは、撮像素子１６の各フォトダイセンサの直径と略同一の大きさとなるように決定された値である。エッチングにより遮光物１２ａ、１２ｂを形成することで、５μｍ程度の小さい遮光物１２ａを細かい間隔で正確に形成することができる。
【００４１】
遮光部材１２は、遮光物１２ａが近焦点領域１０ｂを通過した光束を全て遮光し、遮光物１２ｂが遠焦点領域１０ａを通過した光束を全て遮光するように、撮像素子１６から光軸方向に所定の距離だけ離れた位置に配設される。遮光物１２ａは遠画像用受光セル１６ａに対応して設けられているため、図２に示すように、影絵の原理により、遮光物１２ａが近焦点領域１０ｂを通過した光束を遮光し、遠焦点領域１０ａを通過した光束のみが遠画像用受光セル１６ａに入射する。また、遮光物１２ｂは近画像用受光セル１６ｂに対応して設けられているため、図２に示すように、影絵の原理により、遮光物１２ｂが遠焦点領域１０ａを通過した光束を遮光し、近焦点領域１０ｂを通過した光束のみが近画像用受光セル１６ｂに入射する。このような構成とすることで、撮影レンズ系の所望の領域を通過した光束のみをフォトセンサに受光させることができる。
【００４２】
本実施の形態では、撮影レンズ１０に遮光帯１０ｃが形成されているため、遮光物１２ａ、１２ｂの形成の精度が多少悪くても、遠焦点領域１０ａを通過した光束が画像用受光セル１６ｂに入射すること及び近焦点領域１０ｂを通過した光束が遠画像用受光セル１６ａに入射することを効果的に防止することができる。したがって、遮光物１２ａ、１２ｂの大きさや形成位置の精度及び遮光部材１２の光軸方向の配設位置の精度の要件を緩和することができる。
【００４３】
なお、図５においては、撮像素子１６の中に１２個のフォトセンサ及び８個の遮光物１２ａと４個の遮光物１２ｂが図示されているが、これらの光学要素の数はこれに限定されるものではない。
【００４４】
撮像素子１６に入射した入射光は、その光量に応じた電荷に変換され、フォトセンサそのものもしくは付設されたキャパシタに蓄えられる。撮像素子１６に蓄積された電荷は、センサ制御部３２からの駆動信号に従って、電荷量に応じた電圧信号として読み出されて、当該画素位置に関する情報とともに保持される。上記画素ごとの電圧信号は、例えば、Ｘ−Ｙアドレス方式を用いたＭＯＳ型撮像素子（いわゆるＣＭＯＳセンサ）の手法を用いて、読み出し対象の画素位置の選択情報とともに読み出される。
【００４５】
撮像素子１６から読み出された電圧信号には、相関２重サンプリング処理（撮像素子の出力信号に含まれるノイズ（特に熱雑音）等を軽減するための処理）が施される。具体的には、撮像素子１６の１画素毎の出力信号に含まれるフィードスルー成分レベル（信号レベルがゼロのゼロレベル期間の信号）と画素信号成分レベルとの差をとることにより正確な画素データを得る処理により各画素毎のＲ（赤）、Ｇ（緑）、Ｂ（青）信号がサンプリングホールドされ、増幅されたのちＡ／Ｄ変換器２１に加えられる。Ａ／Ｄ変換器２１は、順次入力されるアナログの電圧（Ｒ、Ｇ、Ｂ信号）をデジタルのＲ、Ｇ、Ｂ信号に変換して画像入力コントローラ２２に出力する。
【００４６】
デジタル信号処理部２４は、画像入力コントローラ２２を介して入力するデジタルの画像信号に対して、オフセット処理、ホワイトバランス補正及び感度補正を含むゲイン・コントロール処理、ガンマ補正処理、ＹＣ処理（Ｒ，Ｇ，Ｂの色信号を輝度信号および色差信号に変換する処理）等の所定の信号処理を行う。
【００４７】
デジタル信号処理部２４で処理され画像データは、ＶＲＡＭ（Video Random Access Memory）５０に入力される。ＶＲＡＭ５０から読み出された画像データはビデオ・エンコーダ２８においてエンコーディングされ、カメラ背面に設けられている立体表示用の液晶モニタ３０に出力される。これにより、３Ｄの被写体像が液晶モニタ３０の表示画面上に表示される。
【００４８】
操作部３８のシャッタボタンの第１段階の押下（半押し）があると、ＣＰＵ４０は、自動焦点調整（ＡＦ）動作及び自動露出制御（ＡＥ）動作を開始させ、レンズ駆動部３６を介して撮影レンズ１０内のフォーカスレンズが合焦位置にくるように制御する。また、シャッタボタンの半押し時にＡ／Ｄ変換器２１から出力される画像データは、ＡＥ検出部４４に取り込まれる。
【００４９】
ＡＥ検出部４４では、画面全体のＧ信号を積算し、又は画面中央部と周辺部とで異なる重みづけをしたＧ信号を積算し、その積算値をＣＰＵ４０に出力する。ＣＰＵ４０は、ＡＥ検出部４４から入力する積算値より被写体の明るさ（撮影Ｅｖ値）を算出する。ＣＰＵ４０は、この撮影Ｅｖ値に基づいて絞りの絞り値及び撮像素子１６の電子シャッタ（シャッタスピード）を所定のプログラム線図に従って決定する。そして、ＣＰＵ４０は、その決定した絞り値に基づいて絞り駆動部（不図示）を介して絞りを制御し、決定したシャッタスピードに基づいてセンサ制御部３２を介して撮像素子１６での電荷蓄積時間を制御する。
【００５０】
ＡＦ処理部４２は、コントラストＡＦ処理又は位相ＡＦ処理を行う。コントラストＡＦ処理を行う場合には、上記画像データのうちの所定のフォーカス領域内の画像データの高周波成分を抽出し、この高周波成分を積分することにより合焦状態を示すＡＦ評価値を算出する。このＡＦ評価値が極大となるように撮影レンズ１０内のフォーカスレンズを制御することによりＡＦ制御が行われる。また、位相差ＡＦ処理を行う場合には、上記画像データのうちの所定のフォーカス領域内の主画素（遠画像用受光セル１６ａ）に対応する画像データ（画像データＡ）と、副画素（近画像用受光セル１６ｂ）に対応する画像データ（画像データＢ）の位相差を検出し、この位相差を示す情報に基づいてデフォーカス量を求める。このデフォーカス量が０になるように撮影レンズ１０内のフォーカスレンズを制御することによりＡＦ制御が行われる。
【００５１】
ＡＥ動作及びＡＦ動作が終了し、シャッタボタンの第２段階の押下（全押し）があると、その押下に応答してＡ／Ｄ変換器２１から出力される画像データが画像入力コントローラ２２からメモリ（ＳＤＲＡＭ（Synchronous Dynamic Random Access Memory））４８に入力され、一時的に記憶される。本実施の形態では、撮影者の指示により又はＣＰＵ４０が自動で、遠画像用受光セル１６ａから読み出された画像データＡ、近画像用受光セル１６ｂから読み出された画像データＢのいずれか、又は遠画像用受光セル１６ａから読み出された画像データＡ及び近画像用受光セル１６ｂから読み出された画像データＢの両方を取得することができる。
【００５２】
メモリ４８に一時的に記憶された画像データは、デジタル信号処理部２４により適宜読み出され、ここで画像データの輝度データ及び色差データの生成処理（ＹＣ処理）を含む所定の信号処理が行われる。ＹＣ処理された画像データ（ＹＣデータ）は、再びメモリ４８に記憶される。
【００５３】
続いて、ＹＣデータは、メモリ４８から画像処理部２５に読み出される。画像処理部２５は、遠画像用受光セル１６ａから読み出された画像データＡ及び近画像用受光セル１６ｂから読み出された画像データＢに対して画像処理を行う。そして、画像処理部２５は、遠画像用受光セル１６ａから読み出された画像データＡから遠距離画像を生成し、近画像用受光セル１６ｂから読み出された画像データＢからマクロ画像を生成する。以下、画像処理部２５で行う処理について説明する。ただし、画像処理部２５が行う処理は必須ではない。
【００５４】
撮像素子１６には近画像用受光セル１６ｂが９画素（３×３）に１画素の割合で含まれる（図４参照）ため、遠画像用受光セル１６ａから読み出された画像データＢから生成した遠距離画像には、近画像用受光セル１６ｂが存在する画素位置に対応するデータが含まれていない。したがって、近画像用受光セル１６ｂの存在による欠落画素については、周囲の遠画像用受光セル１６ａの画像データに基づいて補間処理を行い、近画像用受光セル１６ｂの画素位置に対応する画像データを生成する（自己補間処理）。補間処理については公知であるため、説明を省略する。なお、補間に用いる列数や重みづけの態様は適宜選択可能である。
【００５５】
近画像用受光セル１６ｂには近焦点領域１０ｂを通過した光束のみが入射するため、近画像用受光セル１６ｂから読み出された画像データＢに対しては、ボケ補正処理及びコントラスト補正処理を実施することは必須ではない。しかしながら、近焦点領域１０ｂの大きさは遠焦点領域１０ａの大きさに比べて十分に小さく、近画像用受光セル１６ｂは、遠画像用受光セル１６ａと比較して数が少ない（本実施形態では、９画素（３×３）に１画素の割合）。このため、近画像用受光セル１６ｂから得られた画像データＢから作成したマクロ画像は暗くなる。したがって、近画像用受光セル１６ｂから読み出された画像データＢの明るさを明るくする処理を行う。
【００５６】
本実施の形態では、遠画像用受光セル１６ａの中に近画像用受光セル１６ｂが埋め込まれる形に配置されているため、遠画像用受光セル１６ａから読み出された画像データＡから生成した遠距離画像について自己補間処理を行ったが、遠画像用受光セル１６ａと近画像用受光セル１６ｂとの比率が同程度の場合には、遠画像用受光セル１６ａから読み出された画像データＡから生成した遠距離画像と近画像用受光セル１６ｂから読み出された画像データＢから生成したマクロ画像の両方に対して自己補間処理を行うようにしてもよいし、任意の１つの画像に対して自己補間処理をしても良い。
【００５７】
このように画像処理部２５で画像処理が行われた遠距離画像及びマクロ画像は、それぞれ圧縮伸張処理部２６に出力され、ＪＰＥＧ（Joint Photographic Experts Group）等の所定の形式の圧縮データに圧縮する処理が実行される。
【００５８】
この圧縮データからマルチピクチャファイル（ＭＰファイル：複数の画像が連結された形式のファイル）を作成する場合には、上記圧縮データは、再びメモリ４８に一時記憶される。そして、メモリ４８に記憶された複数の圧縮データか（例えば、遠画像用受光セル１６ａから得られた遠距離画像、および近画像用受光セル１６ｂから得られたマクロ画像）を格納するためのＭＰファイルが生成される。生成されたＭＰファイルは、メディア・コントローラ５２を介してメモリカード５４に記録される。これにより、焦点距離の異なる複数の画像を同時に撮影することができる。
【００５９】
なお、遠距離画像とマクロ画像とは、個別の画像ファイル（例えば、ＪＰＥＧ）に格納されるようにしてもよい。この場合、遠距離画像を格納する画像ファイルと、マクロ画像を格納する画像ファイルとは、相互に関連づけられて記録される。遠距離画像を格納する画像ファイルと、マクロ画像を格納する画像ファイルとの関連づけは、例えば、各画像ファイルのファイル名に共通の文字列を含める方法、画像ファイルの対応関係を示す情報を画像ファイルの付属情報（ヘッダ情報）または専用の管理ファイルに、画像ファイルの対応関係を記録する方法により行われる。
【００６０】
再生モード時には、メモリカード５４に記録された画像ファイルのうち操作部３８を介して選択された画像ファイルがメディア・コントローラ５２を介して読み出される。そして、読み出された画像ファイル中の圧縮データは、圧縮伸張処理部２６によって伸張されて、ビデオ・エンコーダ２８を介して液晶モニタ３０に出力される。これにより、画像データの再生表示が行われる。
【００６１】
本実施の形態によれば、撮影レンズ１０に遮光帯１０ｃが設けられているため、遠焦点領域１０ａを通過した光束と近焦点領域１０ｂを通過した光束とが遠画像用受光セル１６ａまたは近画像用受光セル１６ｂにより混合して受光されることにより生じる受光信号の混合（クロストーク）が発生しにくくなる。したがって、上記クロストークにより発生する画像のボケやコントラスト劣化を補正する画像処理が不要となる。
【００６２】
また、本実施の形態によれば、撮影レンズ１０に遮光帯１０ｃが設けられているため、遠焦点領域１０ａを通過した光束と近焦点領域１０ｂを通過した光束が遮光帯１０ｃの幅に相当する距離離間される。受光対象外の光束を確実に遮光するための遮光物１２ａおよび１２ｂの大きさや位置の精度及び遮光部材１２の光軸方向の配設位置の精度の要件を緩和することができる（許容誤差が大きくなる）。したがって、遮光部材１２等の製造コストを下げることができる。
【００６３】
＜第２の実施の形態＞
なお、本実施の形態では、遮光部材１２と撮像素子１６と別部材で形成したが、図６に示すように、撮像素子１６の内部に遮光物を設けるようにしてもよい。なお、図６においては、簡単のため、撮像素子１６として２個のフォトセンサが図示され、遮光部材１２も２個のフォトセンサに対応した大きさで図示されているが、これらの光学要素はこれに限定されるものではない。実際には、被写体を撮影可能な任意の数や大きさの光学要素が設けられる。また、図２と同一の部分については、同一の符号を付し、説明を省略する。
【００６４】
図６に示すように、遠画像用受光セル１６ａ’には遮光物１７ａが設けられ、近画像用受光セル１６ｂ’には遮光物１７ｂが設けられる。遮光物１７ａは円環形状であり、遮光物１７ｂは円形形状である。遮光物１７ａ、１７ｂは、撮像素子１６’の各フォトセンサの受光面の前面に、受光面と隣接して設けられる。
【００６５】
遮光物１７ａが遠画像用受光セル１６ａ’に設けられているため、遮光物１７ａが近焦点領域１０ｂを通過した光束を遮光し、遠焦点領域１０ａを通過した光束のみが遠画像用受光セル１６ａ’に入射する。また、遮光物１７ｂが近画像用受光セル１６ｂ’に設けられているため、遮光物１７ｂが遠焦点領域１０ａを通過した光束を遮光し、近焦点領域１０ｂを通過した光束のみが近画像用受光セル１６ｂ’に入射する。このような構成とすることで、撮影レンズ系の所望の領域を通過した光束のみをフォトセンサに受光させることができる。また、部品数を減らすことができる。
【００６６】
ただし、遮光部材の取り外しや交換が容易であり、多品種少量生産や設計変更にもコスト増なく対応することができるため、遮光部材１２と撮像素子１６を別部材とすることが望ましい。また、遮光部材１２を撮像素子１６の外側に配設することで、遮光物１２ａまたは１２ｂの端面等で光が回折することによるノイズをなくし、画質を向上させることができる。
【００６７】
＜第３の実施の形態＞
また、本実施の形態では、撮影レンズ１０を構成する所定のレンズの表面に遮光帯１０ｃが形成して遠焦点領域１０ａを通過した光と近焦点領域１０ｂを通過した光とが混合することを防止したが、遠焦点領域１０ａを通過した光と近焦点領域１０ｂを通過した光とが混合することを防止する方法はこれに限られない。例えば、図７に示すように撮影レンズ内に瞳分割用の遮光部材を設けてもよい。
【００６８】
図７に示すように、撮影レンズ１０’内の所望の位置に設けられた板状の遮光部材１３に、遠焦点領域１０ａを通過した光が開口部１３ａを通過し、近焦点領域１０ｂを通過した光が開口部１３ｂ、１３ｃを通過するように、円形の開口部１３ａと、半円環状の所定の幅を持った開口部１３ｂ、１３ｃとを形成する。これにより、遮光部材１３の開口部１３ａ、１３ｂ、１３ｃの間の壁により遠焦点領域１０ａと近焦点領域１０ｂとの境界付近を通過した光が遮光され、遠焦点領域１０ａを通過した光と近焦点領域１０ｂを通過した光とが混合することが防止される。この場合には、遮光部材１３の取り外しや交換が容易となる。ただし、この場合には、開口部１３ｂ、１３ｃは半円環状となり、近焦点領域１０ｂの左右（上下でもよい）の一部の領域が遮光されてしまう。しかしながら、開口部１３ｂ、１３ｃとの間の遮光帯の幅を調整することで影響を小さくすることができる。なお、遠焦点領域１０ａを通過した光と近焦点領域１０ｂを通過した光とが混合することを防止するためには、所望のレンズのできるだけ近傍に遮光部材１３を配設することが望ましい。
【００６９】
また、本実施の形態では、遮光帯１０ｃにより遠焦点領域１０ａと近焦点領域１０ｂとに分割された撮影レンズ１０を用いたが、撮影レンズの分割方法はこれに限らない。図８に示すように、遮光帯２０ｄにより領域２０ａ、２０ｂ、２０ｃの３つの領域に分割した撮影レンズ２０を用いても良い。また、本実施の形態では、中央の円形の遠焦点領域１０ａと周縁の鉛管状の近焦点領域１０ｂとに分割した撮影レンズを用いたが、図９Ａに示すように遮光帯２１ｃにより上下方向に２つの領域２１ａ、２１ｂに分割された撮影レンズ２１を用いてもよいし、遮光帯により左右方向に２つの領域に分割された撮影レンズを用いてもよい。また、図９Ｂに示すように遮光帯２３ｄにより３つの領域２３ａ、２３ｂ、２３ｃに分割された撮影レンズ２３を用いてもよい。なお、本実施の形態では撮影レンズが２つの領域に分割されていたため、撮像素子も２つの異なる指向特性を有したが、撮影レンズが３つ以上の領域に分割される場合には、撮像素子も３種類の異なる指向特性を有するようにする必要がある。
【００７０】
また、本実施の形態では、遠焦点領域１０ａと近焦点領域１０ｂとが略同一の面積で形成された撮影レンズ１０を用いたが、遠焦点領域１０ａと近焦点領域１０ｂとの大きさはこれに限られない。例えば、遠焦点領域１０ａが近焦点領域１０ｂより広くなるように形成されてもよい。ただし、遠距離画像を主とし、マクロ画像を副とするのであれば、画質や光量を考えると、近焦点領域１０ｂに比べて遠焦点領域１０ａが広くなるように形成することが望ましい。
【００７１】
また、本実施の形態では、撮影レンズ１０として異なる焦点距離の領域を有する多焦点レンズを使用したが、撮影レンズ１０はこの形態に限られない。例えば、透過波長域が異なる複数の領域を有するレンズや、色の異なる様々な複数の領域を有するレンズ等の多様特性レンズを用いることができる。更に、撮影レンズ１０として通常のレンズを用いることもできる。この場合には、レンズの位置によってＭＴＦ（Modulation Transfer Function）が異なることを利用し、中央の円形の領域と外側の環状の領域とでＭＴＦ特性の異なる画像を取得するようにしても良い。
【００７２】
また、本実施の形態では、近画像用受光セル１６ｂを９画素（３×３）に１画素の割合で配置したが、遠画像用受光セル１６ａと近画像用受光セル１６ｂとの比率はこれに限られない。例えば、遠距離画像を主とし、遠焦点領域１０ａが近焦点領域１０ｂより広くなるように形成した場合には、遠画像用受光セル１６ａと近画像用受光セル１６ｂとの比率を遠焦点領域１０ａと近焦点領域１０ｂとの比率と略同一としてもよい。
【００７３】
また、本実施の形態では、マイクロレンズ１５を用いてフォトセンサに被写体光を結像させたが、マイクロレンズは必須ではなく、スペース上の問題等がある場合にはマイクロレンズを用いなくてもよい。
【００７４】
なお、本実施の形態では、撮像素子にＣＭＯＳを用いた例で説明したが、ＣＭＯＳに限定されるものではない。本発明は、ＣＣＤ（Charge Coupled Device）等のイメージセンサにも適用可能である。
【００７５】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。本発明は、特に、特性の異なる複数枚の画像を撮影可能な撮像装置に限らず、瞳分割により１つの光学系で立体画像を撮影する単眼立体撮像装置や、位相差焦点検出装置にも適用可能である。
【００７６】
請求の範囲、明細書、及び図面中において示した装置、システム、プログラム、及び方法における動作、手順、ステップ、及び段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」等を用いて説明したとしても、この順で実施することが必須であることを意味するものではない。
【符号の説明】
【００７７】
１：撮像装置、１０：撮影レンズ、１２、１３：遮光部材、１６：撮像素子、２５：画像処理部、４０：ＣＰＵ
【図１】
0005525107.tif 000002
【図２】
0005525107.tif 000003
【図３】
0005525107.tif 000004
【図４】
0005525107.tif 000005
【図５】
0005525107.tif 000006
【図６】
0005525107.tif 000007
【図７】
0005525107.tif 000008
【図８】
0005525107.tif 000009
【図９Ａ】
0005525107.tif 000010
【図９Ｂ】
0005525107.tif 000011
【図１０】
0005525107.tif 000012